(57)【要約】【課題】高いセキュリティ性を有する無線式拡張装置を得る。【解決手段】無線式拡張装置１は、盗難防止用ロック２４が装着される装着穴２１が開口した筐体２と、筐体２の外部に露出されるとともに、初期設定時にケーブル２５が接続される初期設定ポート２２と、初期設定ポート２２を電気的に使用可能状態にする第１の状態と、初期設定ポート２２を電気的に使用不能状態にする第２の状態との間で切り替え可能なスイッチ５１と、スイッチ５１が連動するとともに筐体２の外部から操作可能な可動部材４１であって、スイッチ５１を上記第１の状態にする第１の位置と、スイッチ５１を上記第２の状態にする第２の位置との間で移動可能な可動部材５１とを具備する。可動部材４１は、上記第２の位置にある時に装着穴２１に対向するとともに装着穴２１に装着された盗難防止用ロック２４が係合する係合穴４５を有する。【選択図】図９
2009015389.tif 000002
【特許請求の範囲】
【請求項１】
盗難防止用ロックが装着される装着穴が開口した筐体と、
上記筐体の外部に露出されるとともに、初期設定時にケーブルが接続される初期設定ポートと、
上記初期設定ポートを電気的に使用可能状態にする第１の状態と、上記初期設定ポートを電気的に使用不能状態にする第２の状態との間で切り替え可能なスイッチと、
上記スイッチが連動するとともに上記筐体の外部から操作可能な可動部材であって、上記スイッチを上記第１の状態にする第１の位置と、上記スイッチを上記第２の状態にする第２の位置との間で移動可能な可動部材と、を具備し、
上記可動部材は、上記第２の位置にある時に上記装着穴に対向するとともに上記装着穴に装着された上記盗難防止用ロックが係合する係合穴を有することを特徴とする無線式拡張装置。
【請求項２】
請求項１に記載の無線式拡張装置において、
上記可動部材は、上記装着穴が開口した筐体の壁部に沿って移動可能なスライド板であることを特徴する無線式拡張装置。
【請求項３】
請求項２に記載の無線式拡張装置において、
上記筐体は、通常使用時に該無線式拡張装置が置かれた設置面に対向する底壁部と、この底壁部の周縁から起立する周壁部とを有し、上記装着穴は、上記周壁部に設けられており、上記初期設定ポートは、上記底壁部に設けられていることを特徴とする無線式拡張装置。
【請求項４】
請求項３に記載の無線式拡張装置において、
上記筐体の外部に露出されるとともに、該無線式拡張装置の設定を初期化するリセットボタンを備え、
上記可動部材は、上記第２の位置にある時に、上記リセットボタンを上記筐体の外側方向から覆うことを特徴とする無線式拡張装置。
【請求項５】
盗難防止用ロックが装着される装着穴が開口した筐体と、
上記筐体の外部に露出されるとともに、初期設定時にケーブルが接続される初期設定ポートと、
上記筐体の外部から操作可能な可動部材であって、上記初期設定ポートを外れた第１の位置と、上記初期設定ポートを上記筐体の外側方向から覆う第２の位置との間で移動可能な可動部材と、を具備し、
上記可動部材は、上記第２の位置にある時に上記装着穴に対向するとともに上記装着穴に装着された上記盗難防止用ロックが係合する係合穴を有することを特徴とする無線式拡張装置。
【請求項６】
請求項５に記載の無線式拡張装置において、
上記可動部材は、上記装着穴が開口した筐体の壁部に沿って移動可能なスライド板であることを特徴する無線式拡張装置。
【発明の詳細な説明】
【技術分野】
【０００１】
本発明は、セキュリティロック接続機構を備えた無線式拡張装置に関する。
【背景技術】
【０００２】
近年、例えばポートリプリケータやドッキングステーションのような種々の拡張装置が提供されている。その中には例えばケンジントンロックのようなセキュリティロックが装着可能な拡張装置が提供されている。
【０００３】
特許文献１には、ケンジントンロックが装着されるポートリプリケータが開示されている。このポートリプリケータは、ＩＣカードを外側から受け止める閉位置とＩＣカードの外側を開放する開位置とにわたって移動可能に設けられたシャッターと、このシャッターを開閉させる開閉機構と、前記シャッターの閉位置から開位置への移動を許容する開放位置と前記シャッターを閉位置に牽制する牽制位置との間で移動可能に支持されるとともに、本体ケースへのケンジントンロックの装着により牽制位置に保持される牽制手段とを備える。これにより、ケンジントンロックによってＩＣカードの盗難を防止することができる。
【特許文献１】特開平１０−１７１５５２号公報
【発明の開示】
【発明が解決しようとする課題】
【０００４】
拡張装置は、一般に例えばポータブルコンピュータのような利用対象となる電子機器に対して装着されて使用されるものである。一方、本発明者らは利用対象となる電子機器に対して無線接続される拡張装置を考案している。この考案中の無線式拡張装置は、初期設定時には使用されるが通常使用時には使用頻度が極めて低い初期設定ポートを有する。上記特許文献１に記載のポートリプリケータは、このような初期設定ポートに対するセキュリティ機構を備えていない。
【０００５】
本発明の目的は、高いセキュリティ性を有する無線式拡張装置を得ることにある。
【課題を解決するための手段】
【０００６】
本発明の一つの形態に係る無線式拡張装置は、盗難防止用ロックが装着される装着穴が開口した筐体と、上記筐体の外部に露出されるとともに、初期設定時にケーブルが接続される初期設定ポートと、上記初期設定ポートを電気的に使用可能状態にする第１の状態と、上記初期設定ポートを電気的に使用不能状態にする第２の状態との間で切り替え可能なスイッチと、上記スイッチが連動するとともに上記筐体の外部から操作可能な可動部材であって、上記スイッチを上記第１の状態にする第１の位置と、上記スイッチを上記第２の状態にする第２の位置との間で移動可能な可動部材とを具備する。上記可動部材は、上記第２の位置にある時に上記装着穴に対向するとともに上記装着穴に装着された上記盗難防止用ロックが係合する係合穴を有する。
【発明の効果】
【０００７】
本発明によれば、高いセキュリティ性を有する無線式拡張装置が提供される。
【発明を実施するための最良の形態】
【０００８】
以下、本発明の実施形態について、図１ないし図１１を参照して説明する。  
まず、本発明の第１の実施形態に係る無線式拡張装置１について、図１ないし図６を参照して説明する。無線式拡張装置１は、例えばポートリプリケータと呼ばれるような機能拡張ユニットの一つである。つまり無線式拡張装置１は、例えば普段あまり使わないようなコネクタや携帯時に不要なコネクタなどをまとめて実装するとともに、例えばポータブルコンピュータのような利用対象となる電子機器との間で必要に応じて無線通信を行うことでこれらコネクタ等の利用を可能にする。
【０００９】
図１および図２は、無線式拡張装置１の全体を示している。図１および図２に示すように、無線式拡張装置１は、箱形に形成された筐体２と、この筐体２に支持されたアンテナ３とを備える。筐体２は、底壁部６、周壁部７、および上壁部８を有する。底壁部６は、通常使用時に無線式拡張装置１が置かれた設置面に対向する。なお「通常使用時」とは、初期設定時以外の使用時、すなわち利用対象となる電子機器との間で無線通信を行う使用時を指す。
【００１０】
周壁部７は、底壁部６の周縁から起立するとともに、無線式拡張装置１の周囲に臨む。周壁部７は、前壁１１、左側壁１２、右側壁１３および後壁１４を含む。上壁部８は、無線式拡張装置１の上方に臨む。
【００１１】
図１および図２に示すように、筐体２の前壁１１および後壁１４には、それぞれ筐体２に設けられた開口部１７を通じて多数のコネクタ１８が筐体２の外部に露出されている。これらコネクタ１８は、例えばＵＳＢポート、シリアルポート、ＬＡＮポート、および電源コネクタなどが具体例であるが、コネクタ１８はこれらに限られるものではなく、例えばパラレルポートやその他のコネクタなど種々のコネクタを適宜採用することができる。
【００１２】
筐体２の後壁１４の上端部には、アンテナ３が回動可能に支持されている。無線式拡張装置１は、このアンテナ３を介して利用対象となる電子機器との間で情報のやり取りを行う。
【００１３】
図２ないし図４に示すように、無線式拡張装置１の後壁１４の下端部には、盗難防止用の装着穴２１、初期設定ポート２２、および初期設定ポート２２をロックするロック機構２３が並べて設けられている。セキュリティロック接続機構である装着穴２１は、例えばケンジントンロックのような盗難防止用ロック２４が装着される穴であり、いわゆるセキュリティロックポートである。装着穴２１は、例えば長方円状に形成されるとともに、筐体２の後壁１４に開口している。
【００１４】
この装着穴２１に装着される盗難防止用ロック２４は、例えば装着穴２１に差し込まれる鍵部２４ａと、この鍵部２４ａに連結されたワイヤー２４ｂとを有する。このワイヤー２４ｂを例えば机などに固定しておくことで無線式拡張装置１が持ち去られることを防ぐ。
【００１５】
図３および図４に示すように、初期設定ポート２２は、いわゆるアソシエーションポートであり、例えば筐体２内に設けられるとともに、後壁１４に開口した開口部３１を通じて筐体２の外部に露出されている。本実施形態では、初期設定ポート２２および装着穴２１が、同一の壁面上に露出されている。
【００１６】
初期設定ポート２２は、無線式拡張装置１と、この無線式拡張装置１を利用する電子機器との間で認証を行う時に使用される。すなわち、初期設定ポート２２は、初期設定時に上記電子機器に接続されたケーブル２５が接続されるとともに、このケーブル２５を介して上記電子機器との間で認証が行われる。この認証が一度行われると、無線式拡張装置１と上記電子機器は、その後の通常使用時には無線通信によって情報のやり取りが可能になる。すなわち初期設定ポート２２は、通常使用時には使用頻度が極めて低い。
【００１７】
図３および図４に示すように、初期設定ポート２２の隣には、リセットボタン３２が設けられている。リセットボタン３２は、無線式拡張装置１の設定を初期化するボタンである。リセットボタン３２は、例えば後壁１４に設けられた開口部３３を通じて筐体２の外部に露出されている。図４に示すように、筐体２の後壁１４の一例は、初期設定ポート２２およびリセットボタン３２が設けられる領域に凹部３４を有し、この領域が他の領域に比べて一段窪んでいる。
【００１８】
本実施形態に係るロック機構２３は、初期設定ポート２２を物理的にロックする。詳しくは、ロック機構２３は、可動部材としてのスライド板４１を有する。スライド板４１は、例えば筐体２内に配置されるとともに、装着穴２１が開口した壁部である後壁１４に沿って移動可能である。
【００１９】
図３および図４に示すように、筐体２の後壁１４には、スライド板４１の少なくとも一部に対向するように開口部４２が設けられている。開口部４２は、スライド板４１の移動方向に沿って延びている。スライド板４１には、開口部４２を通じて上記筐体２の外側に突出するロックレバーである突起４３が設けられている。突起４３は、スライド板４１と一体に造られるか、または別体に造られるとともにスライド板４１に固定され、スライド板４１と一体に動く。ユーザーは、この突起４３を利用することで、筐体２の外部からスライド板４１を操作することができる。
【００２０】
スライド板４１は、初期設定ポート２２を外れた第１の位置（図３および図４参照）と、初期設定ポート２２を筐体２の外側方向から覆う第２の位置（図５および図６参照）との間で移動可能である。詳しくは、図３および図４に示すように、第１の位置にあるスライド板４１は、初期設定ポート２２およびリセットボタン３２を外れる位置にある。すなわちスライド板４１は、初期設定ポート２２およびリセットボタン３２に対向していない。これにより、スライド板４１が第１の位置にある時、初期設定ポート２２およびリセットボタン３２は、開口部３１，３３を通じて無線式拡張装置１の外部に露出される。ユーザーは、スライド板４１が第１の位置にある時、初期設定ポート２２にケーブル２５の接続が可能であるとともに、リセットボタン３２の操作が可能である。
【００２１】
図５および図６に示すように、第２の位置にあるスライド板４１は、初期設定ポート２２およびリセットボタン３２に対向するとともに、これらを筐体２の外側方向から覆う。これにより、スライド板４１が第２の位置にある時、初期設定ポート２２およびリセットボタン３２は、無線式拡張装置１の外部から隠された状態になる。ユーザーは、スライド板４１が第２の位置にある時、初期設定ポート２２へケーブル２５を接続することができないとともに、リセットボタン３２の操作が不可能になる。換言すれば、初期設定ポート２２およびリセットボタン３２が物理的にロックされた状態になる。
【００２２】
図３ないし図６に示すように、スライド板４１は、第１および第２の係合穴４５，４６を有する。第１の係合穴４５は、スライド板４１が第１の位置にある時に、装着穴２１に対向するとともに、装着穴２１に装着された盗難防止用ロック２４が係合可能である。第２の係合穴４６は、スライド板４１が第２の位置にある時に、装着穴２１に対向するとともに、装着穴２１に装着された盗難防止用ロック２４が係合可能である。
【００２３】
次に、無線式拡張装置１の使用方法について説明する。  
まず、無線式拡張装置１の初期設定を行う。この初期設定を行う段階では、スライド板４１は、第１の位置に待機させられている。例えばリセットボタン３２を押して無線式拡張装置１の設定を初期化するとともに、初期設定ポート２２に利用対象とする電子機器から延びるケーブル２５を接続する。そして、このケーブル２５を介して上記電子機器が無線式拡張装置１の認証を行う。この認証が完了すると、無線式拡張装置１と上記電子機器は、無線通信により情報のやり取りが可能となる。
【００２４】
初期設定ポート２２の利用が終了すると、ユーザーは初期設定ポート２２からケーブル２５を外すとともに、スライド板４１を第１の位置から第２の位置へと移動させる。これにより初期設定ポート２２およびリセットボタン３２がスライド板４１に覆われ、初期設定ポート２２およびリセットボタン３２がロックされた状態になる。ユーザーは、スライド板４１を第２の位置まで移動させた後、盗難防止用ロック２４を装着穴２１に装着することで、無線式拡張装置１が持ち去られることを防ぐ。この装着穴２１に装着された盗難防止用ロック２４は、スライド板４１の第２の係合穴４６に係合する。これにより、スライド板４１の位置が固定され、スライド板４１は初期設定ポート２２およびリセットボタン３２を覆った位置から動かせなくなる。
【００２５】
このような構成の無線式拡張装置１によれば、高いセキュリティ性を有する無線式拡張装置が提供される。例えば初期設定ポート２２が常時、無線拡張装置の外部に露出されていると、真のユーザー以外の第三者が他の電子機器から延びるケーブル２５を初期設定ポート２２に接続し、無断で初期設定を行うおそれがある。第三者が無断で初期設定を行うことができると、その後その第三者は無断で当該無線拡張装置を使用することができることになるので、セキュリティの観点から万全とはいえない。
【００２６】
一方、本実施形態に係る無線式拡張装置１は、初期設定ポート２２を外れた第１の位置と初期設定ポート２２を覆う第２の位置との間で移動可能なスライド板４１を備えるとともに、このスライド板４１が上記第２の位置にある時に装着穴２１に対向する係合穴４６を有する。これにより、装着穴２１に装着される盗難防止用ロック２４によって初期設定ポート２２を覆ったスライド板４１を併せて固定することができる。これにより、第三者が無断で初期設定ポート２２にケーブル２５を接続して初期設定することを防止することができ、さらに言えば第三者が無断で無線式拡張装置１を使用することを防止することができる。これにより、高いセキュリティ性を有する無線式拡張装置１が提供される。
【００２７】
装着穴２１が開口した筐体４の後壁１４に沿って移動可能なスライド板４１によって初期設定ポート２２をロックすることで、初期設定ポート２２のロック機構２３を簡単な構造で実現することができる。これにより、簡単な構成で高いセキュリティ性を有する無線式拡張装置１を提供することができる。
【００２８】
第２の位置にあるスライド板４１がリセットボタン３２を覆うと、第三者が無断で無線式拡張装置１の設定を初期化することを防ぐことができる。これにより、さらに高いレベルでセキュリティ性を有する無線式拡張装置１を得ることができる。
【００２９】
スライド板４１の第１の係合穴４５は、適宜省略可能である。なおスライド板４１が第１の係合穴４５を有すると、スライド板４１が第１の位置にある時でも、盗難防止用ロック２４を装着穴２１に装着することができる。このような無線式拡張装置１によれば、使用の自由度がより高まる。
【００３０】
次に、本発明の第２の実施形態に係る無線式拡張装置１について、図７ないし図１０を参照して説明する。なお第１の実施形態に係る無線式拡張装置と同一または類似の機能を有する構成は、同一の符号を付してその説明を省略する。この第２の実施形態は、ロック機構２３の構成が上記第１の実施形態と異なり、無線式拡張装置の基本的な構成は上記第１の実施形態と同じである。
【００３１】
図７は、第２の実施形態に係る無線式拡張装置１の全体を示している。図７に示すように、筐体２の後壁１４の下端部には、盗難防止用の装着穴２１が設けられている。一方、初期設定ポート２２は、底壁部６に設けられている。すなわち初期設定ポート２２は、筐体２内に設けられるとともに、底壁部６に開口した開口部３１を通じて筐体２の外部に露出されている。本実施形態では、初期設定ポート２２と装着穴２１とが互いに異なる壁面上に設けられている。すなわち初期設定ポート２２は、無線式拡張装置１の通常使用時には、設置面に対向するとともに外部から見えなくなっている。一方、装着穴２１は、周壁部７において無線式拡張装置１の外部に露出されて、盗難防止用ロック２４が装着しやすくなっている。
【００３２】
図８に示すようにリセットボタン３２は、筐体２内に設けられている。リセットボタン３２は、筐体２の後壁１４に設けられた開口部３３を通じて筐体２の外部に露出されている。筐体２の奥行き方向（すなわち図８の上下方向）に沿って見たとき、リセットボタン３２は、初期設定ポート２２よりも前壁１１側に設けられている。
【００３３】
本実施形態に係るロック機構２３は、初期設定ポート２２を電気的にロックする。詳しくは、ロック機構２３は、スイッチ５１と、可動部材としてのスライド板４１とを有する。スイッチ５１は、例えば機械的なスイッチング機構を有するとともに、例えば後壁１４に対向するようにして筐体２内に配置されている。スイッチ５１は、初期設定ポート２２を電気的に使用可能状態にする第１の状態と、初期設定ポート２２を電気的に使用不能状態にする第２の状態との間で切り替え可能である。
【００３４】
詳しく述べると図１０に示すように、無線式拡張装置１は、利用対象となる電子機器との間で認証に関する処理を行う情報処理部５２を有する。この情報処理部５２と初期設定ポート２２との間には、例えばアナログスイッチ５３が設けられている。無線式拡張装置１は、さらに電源５４とグランド５５とを有し、スイッチ５１のＯＮ／ＯＦＦ状態に対応した入力信号をアナログスイッチ５３に入力する。
【００３５】
より詳しく述べると、スイッチ５１が第１の状態であるＯＦＦ状態の場合は、アナログスイッチ５３がＯＮ状態になり、初期設定ポート２２は情報処理部５２に電気的に接続された状態になる。初期設定ポート２２が情報処理部５２に電気的に接続されていると、初期設定ポート２２は電気的に使用可能な状態になる。一方、スイッチ５１が第２の状態であるＯＮ状態の場合は、アナログスイッチ５３がＯＦＦ状態になり、初期設定ポート２２が情報処理部５２から電気的に遮断された状態（すなわち未接続状態）になる。初期設定ポート２２が情報処理部５２から電気的に遮断されていると、初期設定ポート２２は電気的に使用不能な状態になる。
【００３６】
スライド板４１は、例えば後壁１４に対向するようにして筐体２内に配置されるとともに、装着穴２１が開口した壁部である後壁１４に沿って移動可能である。筐体２の後壁１４には、スライド板４１の少なくとも一部に対向するように開口部４２が設けられている。スライド板４１には、開口部４２を通じて筐体２の外側に突出するロックレバーである突起４３を有する。突起４３は、スライド板４１に連動して動く。ユーザーは、この突起４３を利用することで、筐体２の外部からスライド板４１を操作することができる。
【００３７】
スライド板４１は、上記スイッチ５１のスイッチング部５７に連結された連結部５８を有する。この連結部５８を介して、スイッチ５１はスライド板４１に連動している。すなわちスイッチ５１は、スライド板４１の位置に連動して、上記第１の状態と上記第２の状態との間で切り替わる。詳しくは、スライド板４１は、スイッチ５１を上記第１の状態にする第１の位置（図８参照）と、スイッチ５１を上記第２の状態にする第２の位置（図９参照）との間で移動可能である。
【００３８】
詳しくは、図８に示すように、第１の位置にあるスライド板４１は、スイッチ５１を第１の状態にするとともに、リセットボタン３２を外れる位置にある。これにより、スライド板４１が第１の位置にある時、初期設定ポート２２は電気的に使用可能であるとともに、リセットボタン３２が開口部３３を通じて無線式拡張装置１の外部に露出されて操作可能になる。
【００３９】
図９に示すように、第２の位置にあるスライド板４１は、スイッチ５１を第２の状態にするとともに、リセットボタン３２を筐体２の外側方向から覆う。これにより、スライド板４１が第２の位置にある時、初期設定ポート２２はケーブル２５が差し込めるものの電気的に使用不能であり、さらにリセットボタン３２が無線式拡張装置１の操作が不可能になる。
【００４０】
図８および図９に示すように、スライド板４１は、第１および第２の係合穴４５，４６を有する。第２の係合穴４６は、スライド板４１が第２の位置にある時に、装着穴２１に対向するとともに、装着穴２１に装着された盗難防止用ロック２４が係合可能である。
【００４１】
次に、本実施形態に係る無線式拡張装置１の使用方法について説明する。  
まず、無線式拡張装置１の初期設定を行う。この初期設定時には、無線式拡張装置１を例えば横に寝かせて、底壁部６に設けられた初期設定ポート２２を外部に露出させる。なお初期設定の詳細は第１の実施形態と同様である。
【００４２】
初期設定が終了すると、無線式拡張装置１を立て起こして正規の姿勢にする。これと前後して、スライド板４１を第１の位置から第２の位置へと移動させる。これにより初期設定ポート２２およびリセットボタン３２がロックされた状態になる。スライド板４１を第２の位置まで移動させた後、盗難防止用ロック２４を装着穴２１に装着することで、無線式拡張装置１の盗難防止が図られるとともに、スライド板４１の位置が併せて固定される。
【００４３】
このような構成の無線式拡張装置１によれば、高いセキュリティ性を有する無線式拡張装置が提供される。すなわち本実施形態に係る無線式拡張装置１は、初期設定ポート２２を使用可能状態にする第１の状態と、初期設定ポート２２を使用不能状態にする第２の状態との間で切り替え可能なスイッチ５１と、このスイッチ５１を上記第１の状態にする第１の位置と、スイッチ５１を上記第２の状態にする第２の位置との間で移動可能なスライド板４１とを備えるとともに、このスライド板４１が上記第２の位置にある時に装着穴２１に対向する係合穴４６を有する。これにより、装着穴２１に装着される盗難防止用ロック２４によって初期設定ポート２２を電気的にロックした状態でスイッチ５１を固定することができる。これにより、高いセキュリティ性を有する無線式拡張装置１が提供される。
【００４４】
初期設定ポート２２をスライド板４１により物理的にロックするのではなく、本実施形態のように初期設定ポート２２を電気的にロックすると、下記の点で有利である。すなわち、初期設定ポート２２をスライド板４１で覆うのであれば初期設定ポート２２と装着穴２１とを同一の壁面上に設ける必要があるが、初期設定ポート２２を電気的にロックするのであれば初期設定ポート２２を装着穴２１同一の壁面上に設けなくて済む。
【００４５】
これにより、盗難防止用ロック２４が装着されるのに適した周壁部７に装着穴２１を設けるとともに、通常使用時には設置面に対向する底壁部６に初期設定ポート２２を設けることできる。通常使用時には使用頻度が極めて低い初期設定ポート２２を底壁部６に設けて外部から隠すことで、無線式拡張装置１の見栄えを向上させるとともに、より高いセキュリティ性を得ることができる。
【００４６】
装着穴２１が開口した筐体４の後壁１４に沿って移動可能なスライド板４１によって初期設定ポート２２をロックすることで、初期設定ポート２２のロック機構２３を簡単な構造で実現することができる。第２の位置にあるスライド板４１がリセットボタン３２を覆うと、第三者が無断で無線式拡張装置１の設定を初期化することを防ぐことができる。これにより、さらに高いレベルでセキュリティ性を有する無線式拡張装置１を得ることができる。
【００４７】
次に、本発明の第３の実施形態に係る無線式拡張装置１について、図１１を参照して説明する。なお第１および第２の実施形態に係る無線式拡張装置と同一または類似の機能を有する構成は、同一の符号を付してその説明を省略する。この第３の実施形態は、ロック機構２３の構成が上記第１の実施形態と異なり、無線式拡張装置の基本的な構成は上記第１の実施形態と同じである。
【００４８】
図１１に示すように、本実施形態に係る無線式拡張装置１は、上記第１の実施形態に係る物理的ロック機構と、上記第２の実施形態に係る電気的ロック機構とを併せもつ。すなわち初期設定ポート２２を電気的にロックする機構として、スライド板４１に連動するスイッチ５１，情報処理部５２と初期設定ポート２２との間に設けられたアナログスイッチ５３を有する。このような無線式拡張装置１によれば、より高いレベルのセキュリティ性を有する無線式拡張装置１が提供される。
【００４９】
以上、第１ないし第３の実施形態に係る無線式拡張装置１について説明したが、本発明はこれらに限定されるものではない。なお本発明に係る拡張装置は、例えばポートリプリケータまたはドッカーと呼ばれるような比較的小型なものから、例えばドッキングステーションと呼ばれるような比較的大型なものにまで適用可能である。
【図面の簡単な説明】
【００５０】
【図１】本発明の第１の実施形態に係る無線式拡張装置の斜視図。
【図２】図１中に示された無線式拡張装置を別の角度から見た斜視図。
【図３】図１中に示された無線式拡張装置の背面図。
【図４】図３中に示された無線式拡張装置のＦ４−Ｆ４線に沿う断面図。
【図５】図１中に示された無線式拡張装置の背面図。
【図６】図５中に示された無線式拡張装置のＦ６−Ｆ６線に沿う断面図。
【図７】本発明の第２の実施形態に係る無線式拡張装置の斜視図。
【図８】図７中に示された無線式拡張装置の断面図。
【図９】図７中に示された無線式拡張装置の断面図。
【図１０】図７中に示された無線式拡張装置の電気回路の一部を模式的に示す図。
【図１１】本発明の第３の実施形態に係る無線式拡張装置の断面図。
【符号の説明】
【００５１】
１…無線式拡張装置、２…筐体、６…底壁部、７…周壁部、２１…装着穴、２２…初期設定ポート、２４…盗難防止用ロック、３２…リセットボタン、４１…スライド板、４６…係合穴、５１…スイッチ。
【図１】
2009015389.tif 000003
【図２】
2009015389.tif 000004
【図３】
2009015389.tif 000005
【図４】
2009015389.tif 000006
【図５】
2009015389.tif 000007
【図６】
2009015389.tif 000008
【図７】
2009015389.tif 000009
【図８】
2009015389.tif 000010
【図９】
2009015389.tif 000011
【図１０】
2009015389.tif 000012
【図１１】
2009015389.tif 000013